(57)【要約】【課題】使用する用土の量を減少させ、水の供給回数を低減化することが可能とし、かつ水の供給タイミングを適宜認識することの可能な植物栽培用プランターの提供を課題とする。【解決手段】プランター１は、塩化ビニル樹脂によって成型されたプランター本体２と、プランター本体２の上方から被せるようにして装着される塩化ビニル樹脂によって成型された減容トレー３と、減容トレー３の一部から垂下するように接続され、プランター本体２の貯水空間４に貯水された水５を毛細管現象を利用して上方に吸上可能な給水部６と、プランター本体２の貯水空間４に貯水された水５の水位を外部から視認するための水位ゲージ７とを具備する。【選択図】図４
0003133512.tif 000002
【実用新案登録請求の範囲】
【請求項１】
略筐体状を呈し、上方に開口した開口部、及び、栽培する植物に供給する水を貯水する貯水空間を内部に有するプランター本体と、
前記プランター本体の前記開口部に装着され、前記プランター本体の本体内底面から所定の高さ離間して前記本体内底面と略平行を保って支持され、トレー上面及びトレー下面の間で通気性及び透水性を有するトレー本体、及び前記トレー本体と接続し、前記開口部に前記トレー本体を懸架して支持するための鍔部を備え、前記トレー上面及び前記プランター本体のプランター側面に囲まれた充填空間に前記植物を栽培するための用土としてのピートモスを充填可能な減容トレーと、
一端が前記トレー本体の一部と連結され、前記トレー下面から垂下されるとともに、他端が前記プランター本体の前記貯水空間に貯水された前記水に浸漬されることにより、毛細管現象を利用して前記水を上方に吸い上げ、前記ピートモスを介して前記水を前記植物に供給可能な吸水性素材で形成された略紐状の給水部と、
略Ｌ字形状を呈し、一端が前記プランター本体の前記貯水空間に貫通するように取付けられ、前記プランタ本体に貯水された前記水の水位を外部から視認可能な透明素材で形成された管状の水位ゲージと
を具備することを特徴とする植物栽培用プランター。
【請求項２】
前記トレー本体は、
網目構造を呈して構成されていることを特徴とする請求項１に記載の植物栽培用プランター。
【考案の詳細な説明】
【技術分野】
【０００１】
本考案は、植物栽培用プランターに関するものであり、特に、従来から家庭菜園等において使用されている標準的なサイズのプランターに比べ、使用する用土の量を減容化し、かつ潅水回数を低減することの可能な植物栽培用プランターに関するものである。
【背景技術】
【０００２】
従来から、野菜、果実、或いは観賞用の草花等の植物を室内等のおいて手軽に栽培するために、プラスチック製の栽培容器である所謂「プランター」が用いられることがある。すなわち、係るプランターは、植物を栽培する敷地がない場合、或いは敷地における土壌が植物を栽培するのに適さない場合であっても、人工的に植物栽培用の土壌を構築することができるものである。
【０００３】
そのため、植物を栽培する十分な敷地（庭等）を有しないアパートやマンション等の住人であっても室内やベランダ、或いは廊下等にこれらプランターを設置し、種々の植物の栽培を行うことができる。
【考案の開示】
【考案が解決しようとする課題】
【０００４】
しかしながら、上述した標準的なプランターは、下記に掲げるような問題があった。すなわち、一般的に利用される標準サイズのプランターは、用土を充填する空間が、比較的多く必要であった（例えば、約１４リットル）。また、さらに大きなサイズのプランターも市販されていることがあり、これらのプランターを用いて植物の栽培をしようとする場合、それに応じた量の用土（土壌）が必要であった。
【０００５】
すなわち、マンション等の高層階で係るプランターを利用して植物を栽培する場合、プランターの搬送とともに、それに応じた量の用土を一緒に高層階まで搬送する必要があった。このとき、塩化ビニル等の合成樹脂で形成されたプランターは、比較的軽量なものであり、搬送に特に労力を要するものではなかった。しかしながら、用土は重量物であるため、当該用土（上記のプランターの場合、約１５ｋｇ）の搬送は作業者に多大な負担を強いるケースもあった。
【０００６】
さらに、充填する用土の量が多いと、この用土全体に十分に水を行き渡らせることが植物の成長を安定させるために不可欠である。そのため、植物の生長のためには、十分な量の水を継続的に供給する必要があり、用土の量が多い場合には水の供給の頻度が多くなる傾向があり、一日に何回も水やりを行うこともあった。
【０００７】
また、用土の量が多い場合、用土表面は蒸発によって乾燥し、水分がほとんどない状態に見えても、その内部には十分な水分が蓄えられており、水を供給する必要がない場合と、或いは、内部にも水分がほとんど存在せず、植物を安定的に成長させるために速やかに水の供給が必要な場合とを外部から直接視認することは全くできなかった。そのため、水やりのタイミングを失し、植物が枯れたりするケースもあった。
【０００８】
そこで、上記実情に鑑み、使用する用土の量を減容化し、さらに水やりの回数を減らすことを可能とするとともに、水の供給（水やり）のタイミングを外部から視認することお可能な植物栽培用プランターの提供を課題とするものである。
【課題を解決するための手段】
【０００９】
上記の課題を解決するために、本考案の植物栽培用プランターは、「略筐体状を呈し、上方に開口した開口部、及び、栽培する植物に供給する水を貯水する貯水空間を内部に有するプランター本体と、前記プランター本体の前記開口部に装着され、前記プランター本体の本体内底面から所定の高さ離間して前記本体内底面と略平行を保って支持され、トレー上面及びトレー下面の間で通気性及び透水性を有するトレー本体、及び前記トレー本体と接続し、前記開口部に前記トレー本体を懸架して支持するための鍔部を備え、前記トレー上面及び前記プランター本体のプランター側面に囲まれた充填空間に前記植物を栽培するための用土としてのピートモスを充填可能な減容トレーと、一端が前記トレー本体の一部と連結され、前記トレー下面から垂下されるとともに、他端が前記プランター本体の前記貯水空間に貯水された前記水に浸漬されることにより、毛細管現象を利用して前記水を上方に吸い上げ、前記ピートモスを介して前記水を前記植物に供給可能な吸水性素材で形成された略紐状の給水部と、略Ｌ字形状を呈し、一端が前記プランター本体の前記貯水空間に貫通するように取付けられ、前記プランタ本体に貯水された前記水の水位を外部から視認可能な透明素材で形成された管状の水位ゲージと」を主に具備して構成されている。
【００１０】
したがって、本考案の植物栽培用プランターによれば、プランター本体に装着される減容トレーによって、用土として使用するピートモスがトレー本体の上面及びプランター本体のプランター側面に囲まれた充填空間に限定して充填することができる。すなわち、植物の栽培に必要最小限量の用土のみで植物を栽培することができる。なお、この場合であっても、植物は、ピートモスの間を縦横無尽に根部を張ることができるため、植物の成長を阻害することがない。
【００１１】
なお、前述したように、標準的なサイズのプランターが約１４リットルの容量の用土を必要とするのに対し、本考案の植物栽培用プランターの場合、充填空間に充填する用土（ピートモス）を約２リットル、すなわち、１／７に減容化することができる。そのため、マンションの高層階等に係る用土を搬送する作業が簡易となり、手軽に室内等で野菜等の栽培を行うことが可能となる。
【００１２】
ここで、嵩上げ（底上げ）して充填されたピートモスは、植物の栽培において利用される一般的な用土の一つである。また、減容トレーのトレー本体は、トレー上面及びトレー下面との間で透水性を有している。そのため、本考案の植物栽培用プランターを室外に設置し、雨が降った場合でも、係る雨水はピートモスの中を通ってトレー上面に到達し、さらに、トレー下面に到達し、下方の貯水空間に落下することとなる。その結果、トレー上面に過剰な水が溜まることがない。すなわち、良好な排水性を備えていることになる。
【００１３】
また、係る減容トレーは、通気性及び透水性の双方を備えている。すなわち、トレー本体のトレー下面と貯水空間に貯水された水の水面との間には、空気層が形成されている。そのため、空気層にある空気（酸素）は減容トレーを介してピートモス或いはピートモスに張った植物の根部と接することができる。そのため、水の給排水性とともに、植物の成長に不可欠な空気（酸素）の供給も十分行うことができる。その結果、ピートモスに植栽された植物はより安定して成長することが可能となる。
【００１４】
さらに、不織布等の吸水性素材によって形成された略紐状の給水部を有することから、植物の上方から直接水をかけないで、貯水空間に貯水された水が毛細管現象によって吸い上げられ、ピートモス全体に係る水を行き渡らせることが可能となる。そのため、貯水空間に予め十分な量の水を貯めておけば、数日から数週間程度の期間、水の供給をする必要がない。なお、係る給水部は、例えば、本考案の植物栽培用プランターの大きさや使用する季節、或いは栽培する植物の種類に応じて適宜変更することが可能である。例えば、気温の低い冬期には、減容トレーに対して一つ略中央付近に取付けたり、或いは、気温の高い夏期には、減容トレーに対して二つ取付けるようにするものであってもよい。係る給水部によってピートモスに常に一定量の水が含まれるように調整することが可能となる。
【００１５】
なお、本考案の植物栽培用プランターに利用されるプランター本体は、標準的サイズのプランターをそのまま使用することが可能である。このとき、係るプランターは一般に白色を呈する塩化ビニル等の合成樹脂で形成されていることが多い。そのため、内部の貯水空間に貯水された水の水位を直接視認することは困難である。そこで、本考案の植物栽培用プランターは、透明素材からなるＬ字状の水位ゲージ（例えば、ガラス管或いは透明性を有する合成樹脂管等）がプランター本体に取付けられ、貯水空間の水位を直接視認することができるようになっている。そのため、貯水空間に残存する水の量を逐次確認することが可能となる。その結果、水の供給不足によって植物の成長が阻害されることがない。なお、前述したように、雨水等がピートモスを介して貯水空間に落下し、貯水空間の水位が上昇した場合であっても、水位ゲージの先端部から当該水位を超える水を排出させることが可能である。そのため、貯水空間の水がトレー下面やピートモスに直接接触することがない。すなわち、本考案の植物栽培用プランターにおける水位ゲージは、水位の確認とともに、水量の調整機能を有している。
【００１６】
また、貯水空間に貯水された水に栄養剤、肥料等の成長促進剤を添加するものであってもよい。これにより、給水部によって上方に吸い上げられた水に肥料が含まれているため、ピートモス全体に肥料を行き渡らせることが容易に行われる。これにより、肥料の供給を簡易に行うことができる。
【００１７】
さらに、本考案にかかる植物栽培用プランターは、上記構成に加え、「前記トレー本体は、網目構造を呈して構成されている」ものであっても構わない。
【００１８】
したがって、本考案の植物栽培用プランターによれば、減容トレーが網目構造を呈して構成されている。そのため、上述したように、用土としてのピートモスと空気層との流通がさらに容易となり、網目構造を微細なものとすることにより、ピートモスが貯水空間に落下することがない。
【考案の効果】
【００１９】
本考案の効果として、植物栽培用プランターに使用されるピートモスの量を減容トレーによって減容化することができる。そのため、例えば、標準的なサイズのプランターの約１／７の使用量に抑えることができる。さらに、ピートモスと貯水空間の水との間に形成された空気層によって、植物の下方から十分な酸素を供給することが可能となり、植物の成長をさらに進めることができる。
【００２０】
さらに、貯水空間に貯水された水が給水部によって吸い上げられ、用土に供給される。その結果、毛細管現象によって吸い上げられる水がピートモス全体に適度に行き渡ることとなり、過剰な水の供給或いは水の供給不足等の植物の成長に不可欠な水の供給（潅水）をある程度自動化することができる。そのため、栽培する人の労力の負担を軽減することができる。さらに、貯水空間に貯水される水の水位を水位ゲージによって視認することができるため、プランタートレーをプランター本体から取外すことなく、係る水位を確認できる。その結果、水の供給不足になる前に水を供給することができる。また、貯水量が多い場合には、係る水位ゲージから水を溢れさせることにより、貯水量を一定量に保持することができる。加えて、既存のプランターをプランター本体として流用することができるため、全体としての製造コストを低く抑えることができる。
【考案を実施するための最良の形態】
【００２１】
以下、本考案の一実施形態である植物栽培用プランター１（以下、単に「プランター１」と称す）について、図１乃至図４に基づいて説明する。ここで、図１は本実施形態のプランター１の外観構成を示す斜視図であり、図２はプランター１の構成を示す断面図であり、図３はプランター１の使用状態の一例を示す斜視図であり、図４はプランター１の使用状態の一例を示す断面図である。
【００２２】
本実施形態のプランター１は、図１乃至図４に示すように、白色の塩化ビニル樹脂によって成型されたプランター本体２と、該プランター本体２の上方から被せるようにして装着される着色された塩化ビニル樹脂によって成型された減容トレー３と、減容トレー３の一部から垂下するように接続され、プランター本体２の貯水空間４に貯水された水５を毛細管現象を利用して上方に吸い上げ可能な不織布からなる紐状の給水部６と、プランター本体２の貯水空間４に貯水された水５の水位を外部から視認するための水位ゲージ７とを具備して主に構成されている。
【００２３】
さらに詳細に説明すると、プランター本体２は、断面略逆台形状を呈し、プランター本体２の本体内底面８に対して本体上面９の開口部１０が拡開するように形成されている。ここで、本実施形態のプランター１において、係るプランター本体２は、既に市販されている標準的なプランターをそのまま流用することができる。そして、このプランター本体２の内部には、水５を貯水可能な貯水空間４を有している。さらに、該プランター本体２の底面８の近傍位置のプランター側面１１は、該プランター側面１１を貫通するように管状の水位ゲージ７が取付けられている。
【００２４】
ここで、水位ゲージ７は、全体が略Ｌ字形状を呈するように形成された透明性を有する合成樹脂によって形成された管状部材によって構成されている。さらに、詳細に説明すると、水位ゲージ７のゲージ一端７ａが、プランター本体２のプランター側面１１を貫通し、貯水空間４に到達するように取付けられている。一方、ゲージ一端７ａに対してＬ字形状に曲折されたゲージ他端７ｂは、略鉛直上方に向かって伸びている。ここで、互いのゲージ一端７ａ及びゲージ他端７ｂは、水位ゲージ７が管状部材によって構成されているため、内部の内管部１２によって連通している。そのため、貯水空間４の水５は、水位ゲージ７のゲージ一端７ａから該内管部１２へ浸入し、さらに、内管部１２の水５と貯水空間４の水面１９に係る大気圧（すなわち、一気圧）は一定である。そのため、水位ゲージ７によって示される水位は、プランター本体２の貯水空間４に貯水された水５の水位と同一になる。そのため、不透明の塩化ビニル樹脂によって内部の水５の水位を直接確認することができない場合であっても、この水位ゲージ７によって確認することができる。ここで水位ゲージ７のゲージ他端７ｂの高さは、後述する減容トレー３のトレー本体１５のトレー下面１４よりも低い位置に設定されている。
【００２５】
また、減容トレー３は、図２等に示すように、略矩形の平板状を呈し、通気性及び透水性を有するように、トレー上面１３及びトレー下面１４を貫通するような複数の孔部（図示しない）によって網目構造を有して形成されたトレー本体１５と、該トレー本体１５をプランター本体２の底面８から所定の高さだけ離間して支持するようにプランター本体２の開口部１０の全周に亘って架渡すようにして支持する鍔部２１とを具備して構成されている。なお、係る孔部は比較的孔径が小さく設定されてるため、トレー上面１３に充填されたピートモス１７はトレー本体１５から落下することがない。また、鍔部２１は、トレー本体１５の短辺１５ａからプランター本体２のプランター側面１１に沿うように曲折された側面当接部２２と、側面当接部２２からプランター本体２の上面９に沿うように曲折された上面当接部２３とを備え、側方から見ると逆さＬ字状を呈している。そのため、プランター本体２に上方から被せるように装着した場合、係る減容トレー３が容易に動くことがない。さらに、具体的に説明すると、側面当接部２２が互いに対向するプランター本体２のプランター側面１１に密着するように接しているため、プランター本体２の前後方向（図２における紙面左右方向に相当）への動きが規制される。さらに、側面当接部２２から曲折された上面当接部２３が本体上面９と接するため、トレー本体１５がさらに下方に落下することがない。そのため、トレー本体１５がプランター本体２の本体内底面８から所定の高さだけ離間した状態で強いされることとなる。そして、プランター本体２の開口部１０近傍の内面形状と、減容トレー３の鍔部２１の外面形状とが略一致するように形成されるために、前後及び上下方向の動きが規制される。なお、本考案のプランター１では鍔部２１の構成をトレー本体１５の全周に亘って設けるものを示したが、これに限定されるものではなく、短辺１５ａ側にのみに設ける、或いは長辺側１５ｂのみに設けるものであっても構わない。しかしながら、充填されるピートモス１７の重量によって、トレー本体１５全体が下方に撓む可能性も有するため、本実施形態で示したように、鍔部２１は全周に亘って設けられるものであることが好適と思われる。
【００２６】
さらに、給水部６とは、減容トレー３のトレー本体１５に取付けられる紐状部材であり、給水部６の一部（一端）を貯水空間４の水５に浸漬することにより、水５を吸い上げることができるものである。なお、本実施形態においては、給水部６は吸水性を有する不織布によって構成されている。
【００２７】
次に、本実施形態のプランター１を利用した植物Ｐの栽培の一例について図３及び図４に基づいて説明する。始めに、プランター１のプランター本体２の貯水空間４に水５を貯める。このとき、貯水される水５の水量は、プランター本体２の側面側に取付けられた水位ゲージ７を確認することによって把握できる。なお、前述したように、水位ゲージ７の一端７ｂがトレー本体１５のトレー下面１４よりも下方に設けられているため、水５を過剰に投入した場合であっても該一端７ｂから水５が溢れ、水位ゲージ７のゲージ他端７ｂより、貯水空間４の水位が高くなることがない。すなわち、ゲージ他端７ｂの高さが貯水空間４における最大水位となる。そして、水５を貯めたプランター本体２の開口部１０に減容トレー３を装着し、懸架する（図２または図４参照）。
【００２８】
次に、懸架された減容トレー３のトレー本体１５のトレー上面１３及びプランター本体２の開口部１０近傍のプランター側面１１で囲まれた略直方体形状の空間（充填空間１６）に用土として使用するピートモス１７を充填する。これにより、植物Ｐを栽培するための栽培地（培地）が形成される。そして、この培地に植物Ｐを植える。ここで、図２等に示すように、減容トレー３によって嵩上げされた充填空間１６は、標準サイズのプランター（プランター本体２に相当）の内部空間よりもかなり狭くなっている。そのため、この充填空間１６を満たすための用土（ピートモス１７）の使用量を著しく減容化することができる。しかしながら、植物Ｐを植栽する面積は、従来と変化することがない。そのため、植栽する植物Ｐの数を減らすことなくピートモス１７の使用量のみを減少させることができる。なお、栽培する植物Ｐの種類は特に限定されるものではなく、イチゴ等の果物類、サラダ菜等の野菜類、或いは観賞用の草花であっても構わない。しかしながら、上述したように、減容トレー３によって植物Ｐの根部の空間が必要最小限に抑えられているため、例えば、芋類等の収穫物が土壌（用土）中で成長するようなものは好ましくない。あくまでも、土壌（用土）から上方に収穫物が得られるものであることが望ましい。
【００２９】
これにより、本実施形態のプランター１を用いて各種多様な植物Ｐを栽培することができる。このとき、トレー本体１５から垂下するように取付けられた紐状の給水部６によって貯水空間４から水５が吸い上げられ（図４矢印Ａ参照）、ピートモス１７を介して植物Ｐに供給されるようになっている。そのため、貯水空間４に予め水５を貯めておけば、従来のように頻繁に植物Ｐに対して水やりを行う必要がなくなる。特に、従来のように、一日一回或いは一日に数回程度の水やり作業を必要とすることがなくなり、栽培する人のこれらの作業負担を大幅に軽減することができる。
【００３０】
さらに、プランター本体２に取付けられた水位ゲージ７によって、貯水空間４に貯水された水５の水量を外部から視認することができるため、該水位を確認することで、貯水空間４に水５を追加して投入するタイミングを計ることができる。また、例えば、本実施形態のプランター１を室外に設置して植物Ｐを栽培する場合、雨水がプランター１の内部に進入することがある。このとき、トレー本体３から貯水空間４に落下した雨水によって、貯水空間４の水位が徐々に上昇することがある。
【００３１】
一方、先の水位ゲージ７は、ゲージ一端７ａ及びゲージ他端７ｂがそれぞれ内部の内管部１２と連通しているため、水位の上昇に応じて水位ゲージ７によって示される水位も同様に高くなる。そして、水位ゲージ７で示される水位がゲージ他端７ｂの位置よりも高くなった場合、このゲージ他端７ｂから余分な水（雨水）が溢れ出ることになる。その結果、大雨が降り続いたとしても、貯水空間４に貯水される水５の水位はゲージ他端７ｂの高さよりも高くなることがない。したがって、水５がトレー本体３のトレー下面１４及びピートモス１７に直に接することがない。その結果、過剰な水分による根腐れ等の不具合の発生を抑えることができる。
【００３２】
加えて、トレー本体１５と水５の水面１９との間に空気層２０が介在するため、係る空気層２０を流通する空気（特に、酸素）が植物Ｐの植栽された下方からピートモス１７を介して接することが可能となる。そのため、植物Ｐの成長に不可欠な水５の適正量の安定供給とともに、呼吸のために必要な空気（酸素）の供給も従来のプランターを用いた栽培に比べて安定させることができる。
【００３３】
以上、本考案について好適な実施形態を挙げて説明したが、本考案はこれらの実施形態に限定されるものではなく、本考案の要旨に逸脱しない範囲において、種々の改良及び設計の変更が可能である。
【００３４】
すなわち、本実施形態のプランター１において、貯水空間４に貯水するものとして、水５をそのまま利用するものを示したがこれに限定されるものではなく、トレー上面１３で栽培する植物Ｐの成長を促進するような栄養分等の肥料や病害虫に対する予防のための植物用薬品等の各種添加剤を分散させるものであっても構わない。これにより、給水部６を通して伝達される水５の中に係る添加剤をピートモス１７の中に均一に分散させて供給することができる。
【００３５】
また、栽培する植物Ｐの種類に応じて、例えば、プランター本体２の上面１８或いは減容トレー３の一部から支柱を立設し、垂直方向に成長する傾向の強い、換言すれば、背の高い植物Ｐについての栽培することも容易に可能となる。
【図面の簡単な説明】
【００３６】
【図１】本実施形態の植物栽培用プランターの外観構成を示す斜視図である。
【図２】植物栽培用プランターの構成を示す断面図である。
【図３】植物栽培用プランターの使用状態の一例を示す斜視図である。
【図４】植物栽培用プランターの使用状態の一例を示す断面図である。
【符号の説明】
【００３７】
１  プランター（植物栽培用プランター）
２  プランター本体
３  減容トレー
４  貯水空間
５  水
６  給水部
７  水位ゲージ
１０  開口部
１１  プランター側面
１３  トレー上面
１４  トレー下面
１５  トレー本体
１６  充填空間
１７  ピートモス
２１  鍔部
Ｐ  植物
【図１】
0003133512.tif 000003
【図２】
0003133512.tif 000004
【図３】
0003133512.tif 000005
【図４】
0003133512.tif 000006